(57)【特許請求の範囲】
【請求項１】
第１のケースと第２のケースを嵌合することにより形成される筐体を有する携帯機において、
前記第１のケースの側面において、前記第２のケースから分離するときに力が加えられる部分である加力部を設け、前記加力部が形成されている側面の両側の側面の外周又は内周に沿って前記加力部から離れる方向に延びる複数の嵌合爪がそれぞれ形成されており、かつ、複数の前記嵌合爪のうち前記加力部の両側の前記加力部から最も離れている前記嵌合爪に、前記加力部に最も近い位置において当該側面に最も近く、前記加力部から離れるにつれて当該側面から離れるように傾斜する傾斜面が形成されており、
前記第２のケースの側面の内周又は外周に沿って前記第１のケースの複数の前記嵌合爪とそれぞれ嵌合される複数の嵌合溝が形成されている
携帯機。
【請求項２】
前記第１のケースと前記第２のケースが嵌合される部分の周囲は略矩形であり、
前記加力部は前記第１のケースの短手方向の側面のうちの１つに設けられており、
前記第１のケースの長手方向の両側面に、複数の前記嵌合爪がそれぞれ形成されており、
前記第２のケースの長手方向の両側面に、複数の前記嵌合溝がそれぞれ形成されている
請求項１に記載の携帯機。
【請求項３】
前記筐体は、電子素子を実装した基板、及び、前記基板に電力を供給するための電池を収納する
請求項２に記載の携帯機。
【請求項４】
円板状の物体を挿入し、前記物体を用いて前記第１のケースと前記第２のケースを分離する力を加えるための挿入部が、前記第１のケースと前記第２のケースの境界に形成されており、
前記加力部は、前記挿入部の一部を構成する
請求項１乃至３のいずれかに記載の携帯機。
【発明の詳細な説明】
【技術分野】
【０００１】
本発明は、携帯機に関し、例えば、車両のドアの施開錠の遠隔操作等の操作に用いる携帯機に関する。
【背景技術】
【０００２】
通常、車両のドアの施開錠の遠隔操作等に用いる携帯機には、ボタン電池等の電池が内蔵されている（例えば、特許文献１、２参照）。
【０００３】
また、従来、上下の２つのケースを嵌合することにより形成される筐体内に電池を内蔵し、電池交換時等に、専用の挿入口にコインを挿入し捻ることにより、２つのケース間の嵌合を外し、筐体を分解できるようにした携帯機がある（例えば、特許文献３参照）。このような携帯機においては、例えば、一方のケースに複数の嵌合爪を形成し、他方のケースに対応する複数の嵌合溝を形成し、それらを嵌合することにより、２つのケースが組み合わされる。
【０００４】
図１及び図２は、上下のケースのうち下側のケース（下ケース）に嵌合爪を形成する場合の嵌合爪の位置の例を示している。
【０００５】
図１の下ケース１には、短手方向の側面のうちの一方にコイン等を挿入するための挿入部１Ａが形成されている。また、下ケース１の上ケース（不図示）と嵌合する部分（以下、嵌合部と称する）の短手方向の両側面に、短手方向に延びる嵌合爪１１Ｆ及び嵌合爪１１Ｂがそれぞれ形成されている。さらに、下ケース１の嵌合部の長手方向の両側面に、長手方向に延びる嵌合爪１１Ｌ及び嵌合爪１１Ｒがそれぞれ形成されている。
【０００６】
このように、下ケース１は、嵌合部の側面の略全体に渡って嵌合爪が形成されている。そのため、２つのケース間の密閉性が高くなり、防水性に優れる。
【０００７】
また、落下等の衝撃に対して上ケースと下ケースとの間の嵌合をより外れにくくするために、図２の下ケース２１のように、長手方向の嵌合爪を２つに分割することが考えられる。具体的には、下ケース２１には、下ケース１と同様に、短手方向の側面のうちの一方に挿入部２１Ａが形成され、嵌合部の短手方向の両側面に、短手方向に延びる嵌合爪３１Ｆ及び嵌合爪３１Ｂがそれぞれ形成されている。また、下ケース２１の嵌合部の長手方向の両側面に、長手方向に延びる嵌合爪３１Ｌａ及び嵌合爪３１Ｌｂ、並びに、嵌合爪３１Ｒａ及び嵌合爪３１Ｒｂがそれぞれ形成されている。
【０００８】
図１の下ケース１の場合、挿入部１Ａにコインを挿入し捻ることにより上ケースから分離するとき、嵌合爪１１Ｌ及び嵌合爪１１Ｒの挿入部１Ａに近い方の角部（点線の丸で囲んだ部分）が、上ケースの嵌合溝に強く引っ掛かり、外れにくい部分となる。一方、この角部の嵌合が外れると、後はあまり力を入れなくても、スムーズに嵌合を外すことができる。
【０００９】
これに対して、図２の下ケース２１の場合、挿入部２１Ａにコインを挿入し捻ることにより上ケースから分離するとき、嵌合爪３１Ｌｂ及び嵌合爪３１Ｒｂの挿入部２１Ａに近い方の角部（点線の丸で囲んだ部分）に加えて、嵌合爪３１Ｌａ及び嵌合爪３１Ｒａの挿入部２１Ａに近い方の角部（実線の丸で囲んだ部分）も、上ケースの嵌合溝に強く引っ掛かり、外れにくい部分となる。
【００１０】
従って、下ケース２１の方が、下ケース１よりも、嵌合爪が上ケースの嵌合溝に強く引っ掛かる部分が増えるため、ユーザ操作により、上ケースとの間の嵌合が外れにくくなる。これは、落下等の衝撃に対しても同様であり、下ケース２１の方が、下ケース１よりも、衝撃により上ケースとの間の嵌合が外れにくくなる。
【先行技術文献】
【特許文献】
【００１１】
【特許文献１】特開２０１０−９７３９７号公報
【特許文献２】特開２００８−１９６１９４号公報
【特許文献３】特開２０００−１５１１３４号公報
【発明の概要】
【発明が解決しようとする課題】
【００１２】
ここで、挿入部２１Ａにコインを挿入し捻ることにより下ケース２１を上ケースから分離する場合、力が加えられる挿入部２１Ａに近い方の嵌合爪３１Ｌｂ及び嵌合爪３１Ｒｂには力が伝わりやすいが、挿入部２１Ａから遠い方の嵌合爪３１Ｌａ及び嵌合爪３１Ｒａには力が伝わりにくい。従って、嵌合爪３１Ｌｂ及び嵌合爪３１Ｒｂの嵌合は、ユーザ操作により外しやすいが、嵌合爪３１Ｌａ及び嵌合爪３１Ｒａの嵌合は、ユーザ操作により外しにくい。
【００１３】
そのため、ユーザ操作により筐体を分解するときに、嵌合爪３１Ｌｂ及び嵌合爪３１Ｒｂの嵌合が外れたものの、嵌合爪３１Ｌａ及び嵌合爪３１Ｒａの嵌合がなかなか外れない場合がある。その結果、嵌合爪３１Ｌａ及び嵌合爪３１Ｒａに過剰な力が加えられ、嵌合爪３１Ｌａ及び嵌合爪３１Ｒａが変形したり、破損したりするおそれがある。また、上ケースに過剰な力が加えられ、上ケースがたわみ、変形してしまうおそれがある。
【００１４】
本発明は、携帯機の筐体を構成する２つのケースの間の嵌合を強固に保ちつつ、電池交換などの際にユーザが筐体を分解しやすくするものである。
【課題を解決するための手段】
【００１５】
本発明の一側面の携帯機は、第１のケースと第２のケースを嵌合することにより形成される筐体を有する携帯機であって、第１のケースの側面において、第２のケースから分離するときに力が加えられる部分である加力部を設け、前記加力部が形成されている側面の両側の側面の外周又は内周に沿って加力部から離れる方向に延びる複数の嵌合爪がそれぞれ形成されており、かつ、複数の嵌合爪のうち加力部の両側の加力部から最も離れている嵌合爪に、加力部に最も近い位置において当該側面に最も近く、加力部から離れるにつれて当該側面から離れるように傾斜する傾斜面が形成されており、第２のケースの側面の内周又は外周に沿って第１のケースの複数の嵌合爪とそれぞれ嵌合される複数の嵌合溝が形成されている。
【００１６】
本発明の一側面の携帯機においては、第１のケースの側面の外周又は内周に沿って形成されている複数の嵌合爪と、第２のケースの側面の内周又は外周に沿って形成されている複数の嵌合溝が嵌合される。
【００１７】
従って、携帯機の筐体を構成する２つのケース間の嵌合を強固に保ちつつ、電池交換などの際にユーザが筐体を分解しやすくすることができる。
【００１８】
この第１のケースと第２のケースが嵌合される部分の周囲を略矩形とし、この加力部はこの第１のケースの短手方向の側面のうちの１つに設け、この第１のケースの長手方向の両側面に、複数の嵌合爪をそれぞれ形成し、この第２のケースの長手方向の両側面に、複数の嵌合溝がそれぞれ形成することができる。
【００１９】
これにより、嵌合される部分の周囲が略矩形の２つのケース間の嵌合を強固に保ちつつ、ユーザが筐体を分解しやすくすることができる。
【００２０】
この筐体には、電子素子を実装した基板、及び、前記基板に電力を供給するための電池を収納させることができる。
【００２１】
これにより、筐体内に収納されている電池交換が容易になる。
【００２２】
この携帯機においては、円板状の物体を挿入し、前記物体を用いて前記第１のケースと前記第２のケースを分離する力を加えるための挿入部を、前記第１のケースと前記第２のケースの境界に形成し、この加力部は、前記挿入部の一部を構成するようにすることができる。
【００２３】
これにより、携帯機の筐体を構成する２つのケース間の嵌合を強固に保ちつつ、ユーザがコイン等を用いて筐体を分解しやすくすることができる。
【発明の効果】
【００２４】
本発明の一側面によれば、携帯機の筐体を構成する２つのケース間の嵌合を強固に保ちつつ、電池交換などの際にユーザが筐体を分解しやすくすることができる。
【図面の簡単な説明】
【００２５】
【図１】従来の携帯機のケースの嵌合爪の第１の例を示す図である。
【図２】従来の携帯機のケースの嵌合爪の第２の例を示す図である。
【図３】本発明を適用した携帯機の一実施の形態を示す斜視図である。
【図４】本発明を適用した携帯機の一実施の形態を示す分解図である。
【図５】携帯機の上ケースと下ケースの嵌合方法を説明するための図である。
【図６】携帯機の上ケースと下ケースの嵌合方法を説明するための図である。
【図７】携帯機の筐体の断面の部分拡大図である。
【図８】上ケースを取り外した状態の携帯機の斜視図及び部分拡大図である。
【図９】上ケースを取り外した状態の携帯機を上から見た平面図及び部分拡大図である。
【図１０】携帯機の筐体の断面の部分拡大図である。
【図１１】上ケースと下ケースを分離するときの両ケース間の嵌合の状態について説明するための図である。
【図１２】上ケースと下ケースを分離するときの両ケース間の嵌合の状態について説明するための図である。
【図１３】上ケースと下ケースを分離するときの両ケース間の嵌合の状態について説明するための図である。
【発明を実施するための形態】
【００２６】
以下、本発明を実施するための形態（以下、実施の形態という）について説明する。なお、説明は以下の順序で行う。
１．実施の形態
２．変形例
【００２７】
＜１．実施の形態＞
［携帯機１０１の構成例］
図３及び図４は、本発明を適用した携帯機１０１の一実施の形態を示している。図３は、携帯機１０１の斜視図であり、図４は、携帯機１０１の分解図である。
【００２８】
なお、以下、携帯機１０１の面のうち、ボタン１１２ａ及びボタン１１２ｂが設けられており、操作が行われる面を上面と称し、上面と反対側の面を下面と称する。また、以下、携帯機１０１の取っ手１１１Ａが形成されている方を前側とし、その反対側を後ろ側とする。さらに、以下、図３において、携帯機１０１の長手方向の側面が見えている側を左側とし、図３において、携帯機１０１の長手方向の側面が見えていない側を右側とする。また、以下、携帯機１０１の上面の側を上側とし、下面の側を下側とする。
【００２９】
携帯機１０１は、例えば、車両（不図示）のドアの施開錠の遠隔操作等に用いられる車両用の携帯機である。携帯機１０１は、筐体１１１、ボタン１１２ａ、ボタン１１２ｂ、防水ラバー１１３、通信機１１４、バネ１１５及び保持部材１１６により構成される。
【００３０】
筐体１１１は、上ケース１２１と下ケース１２２により構成される。より具体的には、筐体１１１は、略同じ形状の矩形の開口部を有する上ケース１２１と下ケース１２２を、お互いの開口部を向かい合わせた状態で嵌合することにより形成される。また、後述するように、上ケース１２１と下ケース１２２は、ユーザ操作により組み合わせたり、分離したりすることができる。
【００３１】
筐体１１１の短手方向の一方の側面には、取っ手１１１Ａが形成されている。また、筐体１１１の短手方向の他方の側面の上ケース１２１と下ケース１２２の境界には、挿入部１１１Ｂが形成されている。挿入部１１１Ｂは、所定の厚さの円弧状の溝からなり、コイン等の円板状の部材を挿入しやすい形状になっている。そして、後述するように、ユーザは、筐体１１１を開ける場合、例えば、挿入部１１１Ｂにコインを挿入し、コインの面を傾けるように回転させる（コインをこじる）。これにより、簡単に上ケース１２１と下ケース１２２の間の嵌合を外し、上ケース１２１と下ケース１２２を分離することにより、筐体１１１を分解することができる。
【００３２】
下ケース１２２は、外側下ケース１３１と第２下ケース１３２により構成される。より具体的には、下ケース１２２は、外側下ケース１３１の中に第２下ケース１３２を嵌め込むことにより形成される。外側下ケース１３１と第２下ケース１３２は、ユーザ操作により分離されることなく、常に一体で用いられる。
【００３３】
外側下ケース１３１の短手方向の後ろ側の側面の上端には、上ケース１２１と組み合わせることにより挿入部１１１Ｂを構成する円弧状の窪み１３１Ａが形成されている。また、外側下ケース１３１と第２下ケース１３２の間には、車両のドアを機械的に施開錠するためのメカニカルキー１０２を収納可能な空間が設けられている。外側下ケース１３１と第２下ケース１３２の間に収納されたメカニカルキー１０２は、バネ１１５と保持部材１１６により、外部に飛び出さないように保持される。
【００３４】
筐体１１１内には、ボタン１１２ａ，１１２ｂ、防水ラバー１１３、通信機１１４、バネ１１５及び保持部材１１６が収納される。具体的には、通信機１１４の上に防水ラバー１１３が載置され、その上にボタン１１２ａ，１１２ｂが載置される。ボタン１１２ａ，１１２ｂは、上ケース１２１の孔１２１Ａ，１２１Ｂに挿入され、携帯機１０１の表面に露出される。
【００３５】
通信機１１４は、アンテナや押しボタン等の電子素子が実装されている基板１４１を、保護カバー１４２と保護カバー１４３により挟みこんだ構成を有している。すなわち、保護カバー１４２と保護カバー１４３により形成されるケース内に基板１４１が収納され、保護される。そして、通信機１１４は、第２下ケース１３２内に嵌め込まれる。また、保護カバー１４３には、ボタン型の電池１０３を収納するための収納部１４３Ａが形成されている。収納部１４３Ａに収納された電池１０３は、図示せぬ基板１４１の電極と接触し、基板１４１に電力を供給する。すなわち、通信機１１４は、電池１０３からの電力により駆動する。
【００３６】
［上ケース１２１と下ケース１２２の嵌合部の詳細］
次に、図５乃至図１３を参照して、上ケース１２１と下ケース１２２の嵌合部の詳細について説明する。
【００３７】
まず、図５及び図６を参照して、上ケース１２１と下ケース１２２の嵌合方法について説明する。図５は、筐体１１１の上面から見た場合の分解図であり、図６は、下面から見た場合の分解図である。
【００３８】
図６に示されるように、嵌合溝２０１Ｆ乃至２０１Ｒｂが、上ケース１２１の側面の内周に沿って形成されている。具体的には、上ケース１２１の短手方向の前側の側面の内側には、短手方向に延びる細長い嵌合溝２０１Ｆが、上ケース１２１の開口部１２１Ｃより少し上側（図内では下側）に形成されている。また、上ケース１２１の短手方向の後ろ側の側面の内側には、嵌合溝２０１Ｆと対向する位置に、嵌合溝２０１Ｆと略同じ形状の嵌合溝２０１Ｂが形成されている。
【００３９】
さらに、上ケース１２１の長手方向の左側の側面の内側には、嵌合溝２０１Ｆ及び嵌合溝２０１Ｂと同じ高さにおいて長手方向に延びる細長い嵌合溝２０１Ｌａ及び嵌合溝２０１Ｌｂが形成されている。嵌合溝２０１Ｌａ及び嵌合溝２０１Ｌｂは、上ケース１２１の前側の側面に近い方から嵌合溝２０１Ｌａ、嵌合溝２０１Ｌｂの順に間隔を空けて一直線に並ぶように形成されている。また、嵌合溝２０１Ｌａは、嵌合溝２０１Ｌｂより短くなっている。
【００４０】
また、上ケース１２１の長手方向の右側の側面の内側には、嵌合溝２０１Ｌａと対向する位置に、嵌合溝２０１Ｌａと同じ形状の嵌合溝２０１Ｒａが形成されており、嵌合溝２０１Ｌｂと対向する位置に、嵌合溝２０１Ｌｂと同じ形状の嵌合溝２０１Ｒｂが形成されている。
【００４１】
また、図５に示されるように、嵌合爪２１１Ｆ乃至２１１Ｒｃが、外側下ケース１３１の側面の内周に沿って形成されている。具体的には、外側下ケース１３１の短手方向の前側の側面の内側には、短手方向に延びる細長い突起状の嵌合爪２１１Ｆが、外側下ケース１３１の開口部１３１Ｂより少し下側に形成されている。また、外側下ケース１３１の短手方向の後ろ側の側面の内側には、嵌合爪２２１Ｆと対向する位置に、嵌合爪２１１Ｆと略同じ形状の嵌合爪２１１Ｂ（不図示）が形成されている。
【００４２】
さらに、外側下ケース１３１の長手方向の右側の側面の内側には、嵌合爪２１１Ｆ及び嵌合爪２１１Ｂと同じ高さにおいて長手方向に延びる細長い突起状の嵌合爪２１１Ｒａ乃至２１１Ｒｃが形成されている。嵌合爪２１１Ｒａ乃至２１１Ｒｃは、同じ形状を有しており、外側下ケース１３１の前側の側面に近い方から嵌合爪２１１Ｒａ、嵌合爪２１１Ｒｂ、嵌合爪２１１Ｒｃの順に間隔を空けて一直線に並ぶように形成されている。
【００４３】
また、外側下ケース１３１の長手方向の左側の側面の内側には、嵌合爪２１１Ｆ及び嵌合爪２１１Ｂと同じ高さにおいて、嵌合爪２１１Ｒａ乃至２１１Ｒｃと同じ形状の嵌合爪２１１Ｌａ乃至２１１Ｌｃ（不図示）が形成されている。嵌合爪２１１Ｌａ乃至２１１Ｌｃは、外側下ケース１３１の前側の側面に近い方から嵌合爪２１１Ｌａ、嵌合爪２１１Ｌｂ、嵌合爪２１１Ｌｃの順に間隔を空けて一直線に並ぶように形成されている。
【００４４】
さらに、図５及び図６に示されるように、嵌合爪２２１Ｆ乃至２２１Ｒｂ及び嵌合溝２２２Ｆ乃至２２２Ｒｃが、第２下ケース１３２の側面の外周に沿って形成されている。具体的には、第２下ケース１３２の短手方向の前側の側面の外側には、短手方向に延びる細長い突起状の嵌合爪２２１Ｆが、第２下ケース１３２の開口部１３２Ｂより少し下に形成されている。嵌合爪２２１Ｆは、上ケース１２１の嵌合溝２０１Ｆと嵌合する。
【００４５】
また、第２下ケース１３２の短手方向の後ろ側の側面の外側には、嵌合爪２２１Ｆと対応する位置に、嵌合爪２２１Ｆと略同じ形状の嵌合爪２２１Ｂが形成されている。嵌合爪２２１Ｂは、上ケース１２１の嵌合溝２０１Ｂと嵌合する。
【００４６】
さらに、第２下ケース１３２の長手方向の左側の側面の外側には、嵌合爪２２１Ｆ及び嵌合爪２２１Ｂと同じ高さにおいて長手方向に延びる細長い突起状の嵌合爪２２１Ｌａ及び嵌合爪２２１Ｌｂが形成されている。嵌合爪２２１Ｌａ及び嵌合爪２２１Ｌｂは、上ケース１２１の前側の側面に近い方から嵌合爪２２１Ｌａ、嵌合爪２２１Ｌｂの順に間隔を空けて一直線に並ぶように形成されている。嵌合爪２２１Ｌａは上ケース１２１の嵌合溝２０１Ｌａと嵌合し、嵌合爪２２１Ｌｂは上ケース１２１の嵌合溝２０１Ｌｂと嵌合する。
【００４７】
また、第２下ケース１３２の長手方向の右側の側面の外側には、嵌合爪２２１Ｌａと対応する位置に、嵌合爪２２１Ｌａと同じ形状の嵌合爪２２１Ｒａが形成されており、嵌合爪２２１Ｌｂと対応する位置に、嵌合爪２２１Ｌｂと同じ形状の嵌合爪２２１Ｒｂが形成されている。嵌合爪２２１Ｒａは上ケース１２１の嵌合溝２０１Ｒａと嵌合し、嵌合爪２２１Ｒｂは上ケース１２１の嵌合溝２０１Ｒｂと嵌合する。
【００４８】
このように、下ケース１２２（より正確には、第２下ケース１３２）の側面には、窪み１３１Ａの両側に、下ケース１２２の側面の外周に沿って窪み１３１Ａから離れる方向に延びる嵌合爪２２１Ｌａと嵌合爪２２１Ｌｂ、及び、嵌合爪２２１Ｒａと嵌合爪２２１Ｒｂが形成されている。
【００４９】
さらに、第２下ケース１３２の短手方向の後ろ側の側面の外側には、短手方向に延びる細長い嵌合溝２２２Ｂが、第２下ケース１３２の底面より少し上に形成されている。嵌合溝２２２Ｂは、外側下ケース１３１の嵌合爪２１１Ｂと嵌合する。また、外側下ケース１３１の短手方向の前側の側面の外側には、嵌合溝２２２Ｂと対応する位置に、嵌合溝２２２Ｂと略同じ形状の嵌合溝２２２Ｆ（不図示）が形成されている。嵌合溝２２２Ｆは、外側下ケース１３１の嵌合爪２１１Ｆと嵌合する。
【００５０】
さらに、外側下ケース１３１の長手方向の左側の側面の外側には、嵌合溝２２２Ｆ及び嵌合溝２２２Ｂと同じ高さにおいて長手方向に延びる細長い嵌合溝２２２Ｌａ乃至２２２Ｌｃが形成されている。嵌合溝２２２Ｌａ乃至２２２Ｌｃは、外側下ケース１３１の前側の側面に近い方から嵌合溝２２２Ｌａ、嵌合溝２２２Ｌｂ、嵌合溝２２２Ｌｃの順に間隔を空けて一直線に並ぶように形成されている。嵌合溝２２２Ｌａ乃至２２２Ｌｃは、それぞれ外側下ケース１３１の嵌合爪２１１Ｌａ乃至２１１Ｌｃと嵌合する。
【００５１】
また、外側下ケース１３１の長手方向の右側の側面の外側には、嵌合溝２２２Ｆ及び嵌合溝２２２Ｂと同じ高さにおいて、嵌合溝２２２Ｌａ乃至２２２Ｌｃと同じ形状の嵌合溝２２２Ｒａ乃至２２２Ｒｃが形成されている。嵌合溝２２２Ｒａ乃至２２２Ｒｃは、外側下ケース１３１の前側の側面に近い方から嵌合溝２２２Ｒａ、嵌合溝２２２Ｒｂ、嵌合溝２２２Ｒｃの順に間隔を空けて一直線に並ぶように形成されている。嵌合溝２２２Ｒａ乃至２２２Ｒｃは、それぞれ外側下ケース１３１の嵌合爪２１１Ｒａ乃至２１１Ｒｃと嵌合する。
【００５２】
そして、上ケース１２１の側面の内側にある嵌合溝２０１Ｆ乃至２０１Ｒｂと、下ケース１２２の側面のうち第２下ケース１３２が外側下ケース１３１からはみ出している部分の外側にある嵌合爪２２１Ｆ乃至２２１Ｒｂを嵌合することにより、上ケース１２１と下ケース１２２が組み合わされる。一方、嵌合爪２２１Ｆ乃至２２１Ｒｂと嵌合溝２０１Ｆ乃至２０１Ｒｂの間の嵌合を外すことにより、上ケース１２１と下ケース１２２が分離され、筐体１１１が分解される。なお、上ケース１２１と下ケース１２２を勘合する部分（嵌合部）の周囲は、略矩形となる。
【００５３】
また、外側下ケース１３１の側面の内側にある嵌合爪２１１Ｆ乃至２１１Ｒｃと、第２下ケース１３２の側面の外側にある嵌合溝２２２Ｆ乃至２２２Ｒｃを嵌合することにより、外側下ケース１３１と第２下ケース１３２が嵌合する。
【００５４】
次に、図７乃至図１０を参照して、上ケース１２１、外側下ケース１３１及び第２下ケース１３２の長手方向の側面に形成されている嵌合爪及び嵌合溝の詳細について説明する。
【００５５】
図７は、携帯機１０１の筐体１１１の嵌合溝２０１Ｌｂ、嵌合爪２１１Ｌｃ、嵌合爪２２１Ｌｂ及び嵌合溝２２２Ｌｃが形成されている部分の断面の拡大図である。
【００５６】
上述したように、上ケース１２１の嵌合溝２０１Ｌｂと第２下ケース１３２の嵌合爪２２１Ｌｂが嵌合されている。嵌合爪２２１Ｌｂの断面は山型になっており、下側の傾斜面の方が緩やかになっている。また、嵌合爪２２１Ｌｂの断面は、いずれの位置においてもこの図と略同じ形状となっている。一方、嵌合溝２０１Ｌｂの断面は、嵌合爪２２１Ｌｂの断面に対応する谷型の形状を有している。これにより、図内の点線の丸で囲んだ部分に示されるように、嵌合溝２０１Ｌｂと嵌合爪２２１Ｌｂが接触する面であって、上ケース１２１と下ケース１２２を分離するときに力が加わる面が、分離する方向に対して斜めになっている。従って、嵌合溝２０１Ｌｂと嵌合爪２２１Ｌｂの嵌合を外しやすくなっている。
【００５７】
なお、図示は省略するが、上ケース１２１の嵌合溝２０１Ｒｂは、嵌合溝２０１Ｌｂと同様の形状を有している。また、上ケース１２１の嵌合溝２０１Ｌａ及び２０１Ｒａは、嵌合溝２０１Ｌｂと長さは異なるが、略同様の形状を有している。さらに、第２下ケース１３２の嵌合爪２２１Ｒｂは、嵌合爪２２１Ｌｂと同様の形状を有している。一方、後述するように、第２下ケース１３２の嵌合爪２２１Ｌａ及び２２１Ｒａは、嵌合爪２２１Ｌｂと形状が異なっている。
【００５８】
また、上述したように、外側下ケース１３１の嵌合爪２１１Ｌｃと第２下ケース１３２の嵌合溝２２２Ｌｃが嵌合されている。嵌合爪２１１Ｌｃの断面は台形を横にした形状になっており、上側の脚が斜めで、下側の脚が水平になっている。また、嵌合爪２１１Ｌｃの断面は、いずれの位置においてもこの図と略同じ形状となっている。一方、嵌合溝２２２Ｌｃの断面は、嵌合爪２１１Ｌｃの断面に対応する谷型の形状を有している。これにより、図内の点線の丸で囲んだ部分に示されるように、嵌合爪２１１Ｌｃと嵌合溝２２２Ｌｃが接触する面であって、外側下ケース１３１と第２下ケース１３２を分離するときに力が加わる面が、分離する方向に対して垂直になっている。従って、嵌合爪２１１Ｌｃと嵌合溝２２２Ｌｃの間の嵌合は、嵌合溝２０１Ｌｂと嵌合爪２２１Ｌｂの間の嵌合と比較して外れにくくなっている。
【００５９】
なお、図示は省略するが、外側下ケース１３１の嵌合爪２１１Ｌａ,２１１Ｌｂ,２１１Ｒａ,２１１Ｒｂ及び２１１Ｒｃは、嵌合爪２１１Ｌｃと同様の形状を有している。また、第２下ケース１３２の嵌合溝２２２Ｌａ,２２２Ｌｂ,２２２Ｒａ,２２２Ｒｂ及び２２２Ｒｃは、嵌合溝２２２Ｌｃと同様の形状を有している。
【００６０】
次に、図８乃至図１０を参照して、第２下ケース１３２の嵌合爪２２１Ｌａ及び嵌合爪２２１Ｒａの形状について説明する。図８は、上ケース１２１を取り外した状態の携帯機１０１の斜視図、及び、嵌合爪２２１Ｌａ付近の拡大図である。図９は、上ケース１２１を取り外した状態の携帯機１０１を上から見た平面図、及び、嵌合爪２２１Ｌａ付近の拡大図である。図１０は、携帯機１０１の筐体１１１の嵌合溝２０１Ｌａ及び２０１Ｒａ、嵌合爪２１１Ｌａ及び２１１Ｒａ、嵌合爪２２１Ｌａ及び２２１Ｒａ、並びに、嵌合溝２２２Ｌａ及び２２２Ｒａが形成されている部分の断面の拡大図である。
【００６１】
嵌合爪２２１Ｌａは、図７の嵌合爪２２１Ｌｂと同様の断面を持つ嵌合爪の一部を切り欠くことにより、外側下ケース１３１の窪み１３１Ａ（後ろ側の側面）に向かって傾斜する傾斜面ＳＬが形成された形状を有している。すなわち、傾斜面ＳＬは、その一端が嵌合爪２２１Ｌａの窪み１３１Ａに近い方の一端と一致し、その一端において第２下ケース１３２の左側の側面に最も近く、窪み１３１Ａから離れるにつれて当該側面から離れるように傾斜している。換言すれば、傾斜面ＳＬは、下ケース１２２の後ろ側の側面の方向から見て、後ろ側の側面（窪み１３１Ａ）から離れるにつれて広がるように傾斜している。
【００６２】
なお、図示は省略するが、嵌合爪２２１Ｒａにも、傾斜面ＳＬと同様の形状の傾斜面ＳＲが形成されている。すなわち、傾斜面ＳＲは、その一端が嵌合爪２２１Ｒａの窪み１３１Ａに近い方の一端と一致し、その一端において第２下ケース１３２の右側の側面に最も近く、窪み１３１Ａから離れるにつれて当該側面から離れるように傾斜している。換言すれば、傾斜面ＳＲは、下ケース１２２の後ろ側の側面の方向から見て、後ろ側の側面（窪み１３１Ａ）から離れるにつれて広がるように傾斜している。
【００６３】
従って、図１０に示されるように、嵌合溝２０１Ｌａと嵌合爪２２１Ｌａが接触する面であって、上ケース１２１と下ケース１２２を分離するときに力が加わる面の面積は、コイン等により力が直接加えられる窪み１３１Ａに近づくほど狭くなり、窪み１３１Ａから離れるほど広くなる。従って、嵌合溝２０１Ｌａと嵌合爪２２１Ｌａの間の嵌合力は、窪み１３１Ａに近づくほど弱くなり、窪み１３１Ａから離れるほど強くなる。同様の理由により、嵌合溝２０１Ｒａと嵌合爪２２１Ｒａの間の嵌合力は、窪み１３１Ａに近づくほど弱くなり、窪み１３１Ａから離れるほど強くなる。
【００６４】
なお、傾斜面ＳＬは、その一端が嵌合爪２２１Ｌａの窪み１３１Ａに近い方の一端と一致していれば、他の一端は嵌合爪２２１Ｌａの窪み１３１Ａから遠い方の一端と必ずしも一致している必要はない。すなわち、必ずしも傾斜面ＳＬを嵌合爪２２１Ｌａの端から端まで形成する必要はなく、窪み１３１Ａに近い方の一端から、嵌合爪２２１Ｌａの途中までの範囲に形成するようにしてもよい。これは、嵌合爪２２１Ｒａの傾斜面ＳＲについても同様である。
【００６５】
次に、図１１乃至図１３を参照して、電池１０３の交換時等に、筐体１１１を分解するときの両ケース間の嵌合の状態について説明する。なお、図１１乃至図１３の左側の図は、携帯機１０１を後ろ側から見た図であり、右側の図は、携帯機１０１を左側から見た図である。
【００６６】
まず、筐体１１１を分解する場合、例えば、図１１に示されるように、携帯機１０１の筐体１１１の挿入部１１１Ｂに、円板状のコイン３０１が挿入される。
【００６７】
次に、図１２に示されるように、コイン３０１を挿入部１１１Ｂに挿入したまま、矢印Ａ１の方向に、コイン３０１の面を傾けるように回転させる（コイン３０１をこじる）ことにより、上ケース１２１と下ケース１２２を分離する方向に力が加えられる。すなわち、上ケース１２１の後ろ側の側面を上に持ち上げ、下ケース１２２（より正確には外側下ケース１３１）の後ろ側の側面を下に下げる力が加えられる。
【００６８】
これにより、まず、コイン３０１により直接力が加えられる挿入部１１１Ｂに最も近い、上ケース１２１の嵌合溝２０１Ｂと第２下ケース１３２の嵌合爪２２１Ｂの間の嵌合が外れる。この嵌合は、挿入部１１１Ｂに近く、コイン３０１により加えられる力が伝わりやすいため、容易に外れる。
【００６９】
続いて、次に挿入部１１１Ｂに近い、上ケース１２１の嵌合溝２０１Ｌｂと第２下ケース１３２の嵌合爪２２１Ｌｂの間の嵌合、及び、上ケース１２１の嵌合溝２０１Ｒｂと第２下ケース１３２の嵌合爪２２１Ｒｂの間の嵌合が外れる。これらの２つの嵌合は、挿入部１１１Ｂに近く、コイン３０１により加えられる力が伝わりやすいため、容易に外れる。
【００７０】
そして、図１３に示されるように、コイン３０１を挿入部１１１Ｂに挿入したまま、さらに矢印Ａ２の方向に回転させると、上ケース１２１と下ケース１２２を分離する方向にさらに力が加えられる。
【００７１】
これにより、筐体１１１の長手方向において挿入部１１１Ｂから最も離れている、上ケース１２１の嵌合溝２０１Ｌａと第２下ケース１３２の嵌合爪２２１Ｌａの間の嵌合、及び、上ケース１２１の嵌合溝２０１Ｒａと第２下ケース１３２の嵌合爪２２１Ｒａの間の嵌合が外れる。
【００７２】
ここで、これらの２つの嵌合は挿入部１１１Ｂから離れているため、コイン３０１により加えられる力が伝わりにくい。しかし、上述したように、これらの２つの嵌合の嵌合力は、嵌合爪２２１Ｌｂの傾斜面ＳＬ及び嵌合爪２２１Ｒａの傾斜面ＳＲにより、挿入部１１１Ｂ（窪み１３１Ａ）に近いほど弱くなっている。従って、これらの２つの嵌合は、手前の嵌合溝２０１Ｌｂと嵌合爪２２１Ｌｂの間の嵌合、及び、嵌合溝２０１Ｒｂと嵌合爪２２１Ｒｂの間の嵌合が外れれば、容易に外すことができる。
【００７３】
従って、嵌合溝２０１Ｌａと嵌合爪２２１Ｌａ、及び、嵌合溝２０１Ｒａと嵌合爪２２１Ｒａに過剰な力が加えられ、各部が変形したり、破損したりすることが防止される。また、これらの２つの嵌合が外れずに、上ケース１２１に過剰な力が加えられ、上ケース１２１がたわみ、変形してしまうことが防止される。
【００７４】
また、ユーザ操作により上ケース１２１と下ケース１２２の嵌合を外しやくするために、嵌合する位置を減らしたり、変えたりする必要はない。また、嵌合溝２０１Ｌａと嵌合爪２２１Ｌａ、及び、嵌合溝２０１Ｒａと嵌合爪２２１Ｒａ以外の部分の嵌合力は、特に弱める必要はない。従って、上ケース１２１と下ケース１２２の間の嵌合を強固に保つことができ、落下等の衝撃により嵌合が外れることを防止することができる。また、上ケース１２１と下ケース１２２の間の密閉性を高く保つことができ、防水性に優れる。
【００７５】
＜２．変形例＞
以下、上述した本発明の実施の形態の変形例について説明する。
【００７６】
以上の説明では、別々に成形した外側下ケース１３１と第２下ケース１３２により下ケース１２２を構成する例を示したが、下ケース１２２を１つの部品として成形するようにしてもよい。
【００７７】
また、以上の説明では、上ケース１２１と下ケース１２２の長手方向の両側面に、嵌合溝と嵌合爪の組を２組ずつ設ける例を示したが、３組以上設けるようにしてもよい。この場合、下ケース１２２の長手方向の側面に形成されている嵌合爪のうち、少なくとも挿入部１１１Ｂから最も離れている嵌合爪に、上述した傾斜面ＳＬ及び傾斜面ＳＲと同様の傾斜面を形成するようにすればよい。さらに、下ケース１２２の長手方向の各側面において、２以上の嵌合爪に傾斜面を形成するようにしてもよい。
【００７８】
さらに、以上の説明では、上ケース１２１の側面の内周に嵌合溝を形成し、下ケース１２２（より正確には第２下ケース１３２）の側面の外周に嵌合爪を形成する例を示したが、逆に、上ケース１２１の側面の内周に嵌合爪を形成し、下ケース１２２の側面の外周に嵌合溝を形成するようにしてもよい。
【００７９】
また、以上の説明では、上ケース１２１と下ケース１２２の嵌合部の周囲の形状が略矩形である携帯機１０１に本発明を適用する例を示したが、本発明は、上ケースと下ケースの嵌合部の周囲の形状が矩形以外の形状（例えば、楕円形、縦長の五角形又は六角形、一部が曲線の形状等）である携帯機にも適用することができる。なお、この場合、一方のケースの側面において、他方のケースと分離するときに力が加えられる加力部（例えば、コインの挿入部）の両側に、ケースの側面の外周又は内周に沿って加力部から離れる方向に延びる複数の嵌合爪をそれぞれ形成するようにすればよい。そして、それらの複数の嵌合爪のうち加力部の両側の加力部から最も離れている嵌合爪に、加力部に最も近い位置においてケースの側面に最も近く、加力部から離れるにつれてケースの側面から離れるように傾斜する傾斜面を設けるようにすればよい。
【００８０】
さらに、本発明は、コイン等を挿入して回転させる以外の方法（例えば、手で開けたり、専用の部材を用いたりする等）により、筐体の所定の部分に力を加え、２つのケースを分離する携帯機にも適用することが可能である。
【００８１】
また、携帯機１０１のボタンの数は、上述した２に限定されるものではなく、任意の数に設定することができる。
【００８２】
さらに、本発明は、車両用の携帯機以外にも、嵌合爪と嵌合溝により２つのケースを嵌合して筐体を構成する装置に適用することが可能である。
【００８３】
また、本発明の実施の形態は、上述した実施の形態に限定されるものではなく、本技術の要旨を逸脱しない範囲において種々の変更が可能である。
【符号の説明】
【００８４】
１０１  携帯機
１０３  電池
１１１  筐体
１１１Ｂ  挿入部
１１４  通信機
１２１  上ケース
１２２  下ケース
１３１  外側下ケース
１３１Ａ  窪み
１３２  第２下ケース
２０１Ｆ乃至２０１Ｒｂ  嵌合溝
２１１Ｆ乃至２１１Ｒｃ  嵌合爪
２２１Ｆ乃至２２１Ｒｂ  嵌合爪
２２２Ｆ乃至２２２Ｒｃ  嵌合溝
ＳＬ,ＳＲ  傾斜面
【図１】
0005634489.tif 000002
【図２】
0005634489.tif 000003
【図３】
0005634489.tif 000004
【図４】
0005634489.tif 000005
【図５】
0005634489.tif 000006
【図６】
0005634489.tif 000007
【図７】
0005634489.tif 000008
【図８】
0005634489.tif 000009
【図９】
0005634489.tif 000010
【図１０】
0005634489.tif 000011
【図１１】
0005634489.tif 000012
【図１２】
0005634489.tif 000013
【図１３】
0005634489.tif 000014